(57)【要約】      （修正有）【課題】布材等の棒材を支柱に作業性良く固定する固定構造を提供する。【解決手段】支柱の外周面に固定の係止孔４ａを有するフランジ４と、上下方向に長い背板１１の上下縁から突出した上片及び下片からなるコ字状ホルダ１４と、上片の下面に突出して係止孔４ａに嵌め込まれた係止杆１５と、背板１１の内面に軸１６を介して揺動可能の上下方向に長いロック片１７とから成り、ホルダ背板に棒材５の端部が固定される。ホルダ１４の係止杆１５を支柱１のフランジ４の係止孔４ａに嵌め込み、ロック片１７を回動し、その先端をフランジ下側に入れ当接して上方への移動を阻止する。このとき、上下片先端縁の円弧凹状切欠き１８ａが支柱外面に嵌って棒材５の回転を防止し、ロック片の先端がフランジ下側に入り当接して上方への移動を阻止する。ロック片先端の止片１８はその切欠き１８ａが係止杆１５に嵌る。棒材には各種のブラケット、水平材、手摺り、布材、腕木等が考えられる。【選択図】図２
0003222737.tif 000002
【実用新案登録請求の範囲】
【請求項１】
立設した支柱（１）の外周面にその横方向に突出して固定された係止孔（４ａ）を有するフランジ（４）と、棒材（５）に固定された固定金具（１０）とを備え、
上記固定金具（１０）は、上下方向に長い背板（１１）の上下縁からそれぞれ横方向に突出した上片（１２）及び下片（１３）からなる正面視コ字状ホルダ（１４）と、前記上片（１２）の下面に突出した係止杆（１５）と、前記背板（１１）の内面に軸（１６）を介して揺動可能に設けられた上下方向に長いロック片（１７）と、を有し、
上記ホルダ（１４）の上片（１２）及び下片（１３）の先端縁は上記支柱（１）の外面に嵌る円弧凹状切欠き（１９）になっており、
上記固定金具（１０）の係止杆（１５）が上記フランジ（４）の係止孔（４ａ）に上方から嵌め込まれているとともに、上記上片（１２）及び下片（１３）の円弧凹状切欠き（１９）が支柱（１）の外面に嵌り、上記ロック片（１７）の先端がフランジ（４）下側に入って上方への移動を阻止している仮設足場における棒材の支柱への固定構造。
【請求項２】
上記ロック片（１７）の先端は横方向の止片（１８）を有し、この止片（１８）は上記係止杆（１５）の側面に嵌る切欠き（１８ａ）を有し、その切欠き（１８ａ）でもって止片（１８）が係止杆（１５）に当接しているとともに、その止片（１８）上面がフランジ（４）の下側に入って上方への移動を阻止している請求項１に記載の仮設足場における棒材の支柱への固定構造。
【請求項３】
上記ロック片（１７）は、その長さ方向の中央より上部で上記軸（１６）を介して揺動可能に設けられている請求項１又は２に記載の仮設足場における棒材の支柱への固定構造。
【考案の詳細な説明】
【技術分野】
【０００１】
この考案は、仮設足場の支柱に設けられる水平材等の棒材を前記支柱に固定する固定構造に関するものである。
【背景技術】
【０００２】
例えば、仮設足場には、図８に示すように、建地材となる縦柱等の前後一対の支柱１、１の複数を建物Ｈに沿って所要間隔で立設し、その建物Ｈに沿った支柱１、１間の高さ方向の適宜位置に足場板２を設けるとともに、その足場板２の前面に（又は後面にも）手摺り（手摺り付筋交い）３を設けた構造のものがある（特許文献１、２参照）。手摺り付筋交い３は、水平材３ａと筋交いをなす斜材３ｂとからなる。
【０００３】
この仮設足場において、各支柱１にその長さ方向所要間隔にそれぞれ前後左右に計４個の係止孔４ａを有するフランジ（緊結部）４が設けられ、そのフランジ４でもって、上記足場板２及び手摺り３を設けたものがある（特許文献２図１参照）。足場板２は、前後対の支柱１、１間に掛け渡された布材５にフック６を介して取り付けられ、その布材５は、例えば図９に示すように、その端部をフランジ４に嵌め、その嵌合部の係止孔４ａに結合部材（プレート）７を挿入して抜け止めしている（図９の水平材３ａの端の係止構造、特許文献２図１等参照）。
手摺り３は、例えば、その端のフックをフランジの係止孔４ａに嵌め込み、同様に、係止孔４ａに結合部材７を挿入して抜け止めしている（特許文献１、図６、図９等参照）。
【先行技術文献】
【特許文献】
【０００４】
【特許文献１】特開２００２−３１７５５２号公報
【特許文献２】特開２０１１−２３１５３３号公報
【考案の概要】
【考案が解決しようとする課題】
【０００５】
上記手摺り３や布材５の支柱１への固定構造は、結合部材７等によってその固定強度が担保されるため、足場板２や手摺り３の安定性は高いが、結合部材７を係止孔４ａに挿入しなければならず、その作業が繁雑となっている。
また、その結合部材７の挿入が十分でないと、その固定強度が十分でなく、安全性に問題が生じる。
【０００６】
この考案は、以上の実状の下、布材等の棒材を支柱に作業性良く固定できるとともに、その固定強度も安定して十分に得られるようにすることを課題とする。
【課題を解決するための手段】
【０００７】
上記課題を達成するため、この考案は、棒材の端部に固定金具を固定し、その固定金具を上記フランジに係止孔を介して固定して棒材を支柱に取り付けるようにしたのである。
具体的には、立設した支柱の外周面にその横方向に突出して固定された係止孔を有するフランジと、棒材に固定された固定金具とを備え、固定金具は、上下方向に長い背板の上下縁からそれぞれ横方向に突出した上片及び下片からなる正面視コ字状ホルダと、前記上片の下面に突出した係止杆と、前記背板の内面に軸を介して揺動可能に設けられた上下方向に長いロック片と、を有し、ホルダの上片及び下片の先端縁は支柱の外面に嵌る円弧凹状とし、固定金具の係止杆がフランジの係止孔に上方から嵌め込まれているとともに、上片及び下片の円弧凹状先端縁が支柱の外面に嵌り、ロック片の先端がフランジの下側に入って上方への移動を阻止している構成を採用したのである。
【０００８】
この構成の仮設足場における棒材の支柱への固定構造は、固定金具の係止杆がフランジの係止孔に上方から嵌め込まれて、固定金具のフランジからの水平方向の離脱が防止され、上片及び下片の円弧凹状先端縁が支柱の外面に嵌ることにより、固定金具の支柱周りの妾動が防止され、ロック片の先端がフランジ下側に入ってその先端と上片でフランジを挟んでいることによって上方への移動を防止している。このため、固定金具が支柱にしっかり固定されているため（固定強度も安定して十分のため）、棒材も支柱にしっかり固定されている。また、係止杆をフランジの係止孔に差し込み、ロック片を揺動（回動）する簡単な作業のため、作業性が良い。
【０００９】
上記ロック片の先端に横方向の止片を設け、この止片は上記係止杆の側面に嵌る切欠きを有し、その切欠きでもって止片が係止杆に当接しているとともに、その止片上面がフランジの下側に入って上方への移動を阻止している構成とすることができる。このとき、ロック片は、その長さ方向の中央より上部で上記軸を介して揺動可能に設けられている構成とすれば、自重で上下方向になるため、自然に、ロック片の先端がフランジ下側に入って上方への移動を阻止するとともに、前記止片の切欠きを介した係止杆への当接も安定し、ロック片の妾動がなくなる。
上記棒材には、上記布材、手摺り以外に、ブラケット（図７（ａ）〜同（ｃ）参照）やジャッキホルダ（同図（ｄ）参照）等を挙げることができる。
【考案の効果】
【００１０】
この考案は、以上のように構成したので、布材等の棒材を支柱に作業性良く固定できるとともに、その固定強度も安定して十分に得られる。
【図面の簡単な説明】
【００１１】
【図１】この考案に係る仮設足場の一実施形態の要部斜視図
【図２】図１の要部拡大図
【図３】同実施形態の固定金具を示し、（ａ）は斜視図、（ｂ）は分解斜視図
【図４】同固定金具の支柱への取付作用図
【図５】同取付作用における部分平面図
【図６】他の固定金具の部分斜視図
【図７】他の各実施形態の斜視図
【図８】仮設足場の各例の概略斜視図
【図９】従来における棒材の支柱への固定構造の斜視図
【考案を実施するための形態】
【００１２】
この考案の一実施形態を図１〜図５に示し、この実施形態に係る棒材の支柱への固定構造は、図８に示した仮設足場と同様に、建物Ｈに沿って支柱１を所要間隔で立設し、その各支柱１、１間の高さ方向の適宜位置に足場板２を設け、その足場板２の前面に（又は後面にも）手摺り３となる水平材３ａや斜材３ｂを設けている。その水平材３ａ、斜材３ｂはその端のフックをフランジ４の係止孔４ａに差し込んで支柱１に取り付ける。この水平材３ａ及び斜材３ｂは各足場板２に対応して、支柱１の高さ方向の適宜位置に設ける。支柱１、水平材３ａ、斜材３ｂは円筒形鋼パイプからなる。
この実施形態は、水平部材である布材５を前後対の支柱１、１間に掛け渡してその端を図３に示す固定金具１０によって支柱１に固定している。
【００１３】
その固定金具１０は、図３に示すように、上下方向に長い背板１１の上下縁からそれぞれ横方向に突出した上片１２及び下片１３からなるコ字状ホルダ１４と、前記上片１２の下面に突出する円柱ピン状の係止杆１５と、背板１１の内面に円柱ピンからなる軸１６を介して取り付けた上下方向に長いロック片１７とを有する。ロック片１７は、軸１６に嵌め、その軸１６にピン１６ａを差し込み固定することによって背板１１（ホルダ１４）に揺動可能に取り付けられる。
また、ロック片１７は、その長さ方向の中央より上部で上記軸１６を介して揺動可能に設けられている。このため、外力が加わらなければ、自重によって鉛直上下方向となる（図３（ａ）、図４（ｃ）参照）。その軸１６の位置は、ロック片１７が自重で鉛直上下方向になる限りにおいて任意である。
【００１４】
上記ロック片１７の先端には横方向の止片１８を有し、この止片１８は係止杆１５の側面（円弧面）に嵌る円弧状の切欠き１８ａを有する。また、ロック片１７の下部側縁には摘み片１７ａが設けられ、この摘み片１７ａでもってロック片１７を揺動させる。
上片１２及び下片１３の先端縁は支柱１の円弧状外面に沿う円弧凹状切欠き１９となっている。
この固定金具１０はその背板１１を布材５の両端部に溶接することによって固定される。溶接以外に、嵌め込みやビス止め等が考えられる。
【００１５】
この固定金具１０付きの布材５は、図４（ａ）から同（ｂ）に示すように、固定金具１０の係止杆１５を支柱１のフランジ４の係止孔４ａに嵌め込み、同図（ｂ）から同（ｃ）に示すように、ロック片１７を回動し、そのロック片１７の先端をフランジ４の下側に入れて上方への移動を阻止する。このとき、ロック片１７の先端はフランジ４下面に当接する場合があり、ロック片１７の回動は自重で行われるが、手により摘み片１７ａでもって回動を行うことが好ましい。
【００１６】
この固定金具１０による布材５の支柱１への固定構造は、固定金具１０の係止杆１５がフランジ４の係止孔４ａに上方から嵌め込まれて、固定金具１０のフランジ４からの水平方向の離脱が防止され、上片１２及び下片１３の円弧凹状切欠き１９が支柱１の外面に嵌ることにより、固定金具１０の支柱１周りの妾動が防止され、ロック片１７の先端がフランジ４下側に入って当接する（当接しない場合もある）ことによって上方への移動を防止している。このため、固定金具１０が支柱１にしっかり固定されているため（固定強度も安定して十分のため）、布材５も支柱１にしっかり固定される。また、係止杆１５をフランジ４の係止孔４ａに差し込み、ロック片１７を揺動（回動）する簡単な作業のため、作業性が良い。
【００１７】
なお、常時、図４（ｃ）に示す状態になるように、ばね等の付勢力でロック片１７を維持し、同図（ａ）から同（ｂ）の係止杆１５を係止孔４ａに嵌め込むとき、ばね等に抗してロック片１７を持ちあげる（回動する）ようにすることができる。
上記係止杆１５は円柱状ピンに限らず、係止孔４ａに嵌る形状であれば任意であり、例えば、図６に示す長方形板片の係止杆１５’等とし得る。
【００１８】
固定金具１０による棒材の支柱１への取付は、布材５に限らず、支柱１に取り付け得る棒材であれば、何れでも良い。例えば、図７（ａ）に示す、ネットブラケット２０、同（ｂ）に示す、足場用ブラケット３０、同（ｃ）に示す、進入防止ブラケット４０、同（ｄ）に示す、ジャッキホルダ５０、手摺り３等の端（側面）に固定金具１０を溶接などによって固定して、それらの部材を支柱１に固定金具１０を介して取り付ける。ネットブラケット２０は、仮設足場と建物Ｈとの間から作業者や物が落ちないようにネットを張るための部材、足場用ブラケット３０は足場板２を載せて足場を構築する部材、進入防止ブラケット４０は、仮設足場に関係者以外が入らないように足場の開口部に設ける部材，ジャッキホルダ５０は仮設足場が建物Ｈ側に倒れないように突っ張るためのジャッキを支える部材である。
【００１９】
この固定金具１０による支柱１への棒材の固定構造は、布材５、手摺り３の水平材３ａ、図７に示すブラケット等のような水平部材が好ましいが、手摺り３の斜材３ｂ等の傾斜する部材であっても、その端部の支柱１への固定にこの固定金具１０は採用し得ることは勿論である。このとき、固定金具１０はその斜材の端部に軸線に対して斜めに固定することとなる。
【００２０】
因みに、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２１】
１  支柱
２  足場板
３  手摺り
３ａ  手摺りの水平材
３ｂ  同斜材
４  フランジ（緊結部）
４ａ  フランジの係止孔
５  布材
１０  固定金具
１１  固定金具の背板
１２  同上片
１３  同下片
１４  同ホルダ
１５、１５’  係止杆
１６  揺動軸（ピン）
１７  ロック片
１８  ロック片の止片
１９  上下片の円弧凹状切欠き
２０  ネットブラケット
３０  足場用ブラケット
４０  進入防止ブラケット
５０  ジャッキホルダ
【図１】
0003222737.tif 000003
【図２】
0003222737.tif 000004
【図３】
0003222737.tif 000005
【図４】
0003222737.tif 000006
【図５】
0003222737.tif 000007
【図６】
0003222737.tif 000008
【図７】
0003222737.tif 000009
【図８】
0003222737.tif 000010
【図９】
0003222737.tif 000011